(57)【要約】【課題】増幅特性の劣化を低減することができる増幅器および通信機モジュールの提供を図る。【解決手段】信号を受け取って増幅する、並列接続された複数のトランジスタＴｒを含むトランジスタ部１と、前記トランジスタ部からの出力信号を、前記トランジスタ部の出力側電極パッド１２から複数の出力側ワイヤ５１ａ，５１ａ’，５１ｂ，５１ｂ’，５１ｃを介して第１幅の出力信号受け取り部３１−１で受け取り、前記第１幅よりも狭い第２幅の出力信号引き渡し部３１−２から後段部５に引き渡す出力側電極３１と、を有する増幅器１００であって、前記出力側電極３１の出力信号受け取り部３１−１は、前記トランジスタ部に対向する幅方向の両端部３１ａ，３１ｂが中央部３１ｃよりも前記トランジスタ部から離れるようになっている。【選択図】図３
2018117214.tif 000002
【特許請求の範囲】
【請求項１】
信号を受け取って増幅する、並列接続された複数のトランジスタを含むトランジスタ部と、
前記トランジスタ部からの出力信号を、前記トランジスタ部の出力側電極パッドから複数の出力側ワイヤを介して第１幅の出力信号受け取り部で受け取り、前記第１幅よりも狭い第２幅の出力信号引き渡し部から後段部に引き渡す出力側電極と、を有する増幅器であって、
前記出力側電極の出力信号受け取り部は、前記トランジスタ部に対向する幅方向の両端部が中央部よりも前記トランジスタ部から離れるようになっている、
ことを特徴とする増幅器。
【請求項２】
前記出力側電極の出力信号受け取り部において、前記トランジスタ部に対向する幅方向の両端部と前記トランジスタ部の出力側電極パッドを接続する出力側ワイヤの長さは、前記トランジスタ部に対向する幅方向の中央部と前記トランジスタ部の出力側電極パッドを接続する出力側ワイヤの長さよりも長い、
ことを特徴とする請求項１に記載の増幅器。
【請求項３】
前記出力側ワイヤの長さは、前記出力側電極の出力信号受け取り部において、前記トランジスタ部に対向する幅方向の両端部から中央部に近づくに従って短くなる、
ことを特徴とする請求項２に記載の増幅器。
【請求項４】
前記出力側電極の出力信号受け取り部は、曲線形状または段差形状になっている、
ことを特徴とする請求項１乃至請求項３のいずれか１項に記載の増幅器。
【請求項５】
前記出力側電極は、誘電体基板上に設けられ、前記トランジスタ部の出力側電極パッドと前記後段部のインピーダンスの整合を行う出力側整合回路を形成する、
ことを特徴とする請求項１乃至請求項４のいずれか１項に記載の増幅器。
【請求項６】
前記出力側電極は、前記トランジスタ部に対向する幅方向に複数配置される、
ことを特徴とする請求項１乃至請求項５のいずれか１項に記載の増幅器。
【請求項７】
信号を受け取って増幅する、並列接続された複数のトランジスタを含むトランジスタ部と、
前段部からの入力信号を第３幅の入力信号受け取り部で受け取り、前記第３幅よりも広い第４幅の入力信号引き渡し部から複数の入力側ワイヤを介して前記トランジスタ部の入力側電極パッドに引き渡す入力側電極と、を有する増幅器であって、
前記入力側電極の入力信号引き渡し部は、前記トランジスタ部に対向する幅方向の両端部が中央部よりも前記トランジスタ部から離れるようになっている、
ことを特徴とする増幅器。
【請求項８】
前記入力側電極の入力信号引き渡し部において、前記トランジスタ部に対向する幅方向の両端部と前記トランジスタ部の入力側電極パッドを接続する入力側ワイヤの長さは、前記トランジスタ部に対向する幅方向の中央部と前記トランジスタ部の入力側電極パッドを接続するワイヤの長さよりも長い、
ことを特徴とする請求項７に記載の増幅器。
【請求項９】
前記入力側ワイヤの長さは、前記入力側電極の入力信号引き渡し部において、前記トランジスタ部に対向する幅方向の両端部から中央部に近づくに従って短くなる、
ことを特徴とする請求項８に記載の増幅器。
【請求項１０】
前記入力側電極の入力信号引き渡し部は、曲線形状または段差形状になっている、
ことを特徴とする請求項７乃至請求項９のいずれか１項に記載の増幅器。
【請求項１１】
前記入力側電極は、誘電体基板上に設けられ、前記前段部と前記トランジスタ部の入力側電極パッドのインピーダンスの整合を行う入力側整合回路を形成する、
ことを特徴とする請求項７乃至請求項１０のいずれか１項に記載の増幅器。
【請求項１２】
前記入力側電極は、前記トランジスタ部に対向する幅方向に複数配置される、
ことを特徴とする請求項７乃至請求項１１のいずれか１項に記載の増幅器。
【請求項１３】
請求項１乃至請求項１２のいずれか１項に記載の増幅器における前記トランジスタ部と、
請求項１乃至請求項６のいずれか１項に記載の増幅器における前記出力側電極と、
請求項７乃至請求項１２のいずれか１項に記載の増幅器における前記入力側電極と、を有する、
ことを特徴とする増幅器。
【請求項１４】
請求項１３に記載の増幅器を有する、
ことを特徴とする通信機モジュール。
【発明の詳細な説明】
【技術分野】
【０００１】
本発明は、増幅器および通信機モジュールに関する。
【背景技術】
【０００２】
近年、携帯電話基地局やレーダ向けに高出力トランジスタを含む増幅器(高出力電力増幅器)を搭載した高出力の集積回路搭載装置(通信機モジュール)が求められている。このような通信機モジュールは、例えば、メタルパッケージに設けられた集積回路チップ上にパワートランジスタを複数並列に形成し、誘電体基板上に設けられた入力側および出力側の整合回路によりインピーダンス整合させて高出力特性を実現している。
【０００３】
すなわち、高周波信号を出力する無線通信機やレーダ装置等の送信部は、高出力電力増幅器(増幅器)を含む半導体装置を有し、送信電力を大きくすることが求められている。この増幅器は、通常、トランジスタにより実現されるが、トランジスタを用いた増幅器の出力電力は、ゲート幅に比例するため、例えば、複数のトランジスタを並列接続して出力電力の増大を図っている。
【０００４】
すなわち、増幅部(トランジスタ部)を並列接続された複数のトランジスタで形成し、その増幅部の入力側および出力側に対して、例えば、テーパ形状の入力側電極および出力側電極を設けるようになっている。なお、トランジスタとしては、シリコンによるＭＯＳトランジスタだけでなく、例えば、窒化ガリウム(ＧａＮ)トランジスタや高電子移動度トランジスタ(ＨＥＭＴ：High Electron Mobility Transistor)などのトランジスタを利用することができる。
【０００５】
ところで、従来、並列接続された複数のトランジスタを含む増幅部、並びに、増幅部の両側にワイヤで接続された入力側電極および出力側電極を有する増幅器(高出力電力増幅器)が提案されている。また、このような高出力電力増幅器において、増幅特性の劣化を低減するための様々な提案がなされている。
【先行技術文献】
【特許文献】
【０００６】
【特許文献１】特開平１０−３２７０３１号公報
【特許文献２】特開２００３−１５８４０７号公報
【発明の概要】
【発明が解決しようとする課題】
【０００７】
前述したように、トランジスタを用いた高出力電力増幅器では、出力電力はゲート幅に比例するため、複数のトランジスタを並列接続して出力電力の増大を図っている。そのため、増幅部(トランジスタ部)の入力側および出力側に対して、例えば、テーパ形状の入力側電極および出力側電極を設けるようになっている。
【０００８】
しかしながら、テーパ形状の入力側電極および出力側電極において、それら電極の両端部(外側部)を通る信号と中央部(内側部)を通る信号では、経路の距離が異なるため位相差が生じ、増幅特性が劣化する虞がある。
【課題を解決するための手段】
【０００９】
一実施形態によれば、信号を受け取って増幅する、並列接続された複数のトランジスタを含むトランジスタ部と、出力側電極と、を有する増幅器が提供される。前記出力側電極は、前記トランジスタ部からの出力信号を、前記トランジスタ部の出力側電極パッドから複数の出力側ワイヤを介して第１幅の出力信号受け取り部で受け取り、前記第１幅よりも狭い第２幅の出力信号引き渡し部から後段部に引き渡す。前記出力側電極の出力信号受け取り部は、前記トランジスタ部に対向する幅方向の両端部が中央部よりも前記トランジスタ部から離れるようになっている。
【発明の効果】
【００１０】
開示の増幅器および通信機モジュールは、増幅特性の劣化を低減することができるという効果を奏する。
【図面の簡単な説明】
【００１１】
【図１】図１は、増幅器の一例およびその課題を説明するための図である。
【図２】図２は、増幅器におけるトランジスタ部の一例を説明するための図である。
【図３】図３は、増幅器の第１実施例を説明するための図である。
【図４】図４は、増幅器の第２実施例を説明するための図である。
【図５】図５は、増幅器の第３実施例を説明するための図である。
【図６】図６は、本実施形態に係る増幅器を適用した通信機モジュールの一例を示す斜視図である。
【発明を実施するための形態】
【００１２】
まず、増幅器および通信機モジュールの実施例を詳述する前に、増幅器の一例およびその課題を説明する。図１は、増幅器(高出力電力増幅器)の一例およびその課題を説明するための図であり、図１(a)は、増幅器の一例の電極構造を模式的に示し、図１(b)は、図１(a)の電極構造を有する増幅器における課題を説明するためのものである。また、図２は、増幅器におけるトランジスタ部の一例を説明するための図であり、図２(a)は、複数のトランジスタによるトランジスタ部の一例を概略的に示し、図２(b)は、トランジスタ部の一例の等価回路を示し、そして、図２(c)は、トランジスタ部におけるレイアウトを模式的に示す。
【００１３】
図１(a)に示されるように、増幅器１００は、トランジスタ部(増幅部)１０１，入力側整合回路１０２および出力側整合回路１０３を含む。図２(a)および図２(b)に示されるように、トランジスタ部１０１は、並列に接続された複数のトランジスタＴｒにより形成されている。ここで、図１(a)および図２(a)〜図２(c)において、参照符号Ｇは、各トランジスタのゲート、Ｓは各トランジスタのソース、そして、Ｄは各トランジスタのドレインを示す。
【００１４】
前述したように、高周波信号を出力する無線通信機やレーダ装置等の送信部は、高出力電力増幅器(増幅器１００)を含む半導体装置を有し、送信電力を大きくすることが求められている。この増幅器１００は、通常、トランジスタＴｒにより実現されるが、トランジスタＴｒを用いた増幅器１００の出力電力は、ゲート幅(図２(a)における参照符号Ｗ)に比例する。そのため、例えば、複数のトランジスタＴｒを並列接続(図２(a)におけるＹ方向に複数配列)して出力電力の増大を図っている。そのため、図１(a)に示されるように、入力側電極１２１および出力側電極１３１は、通常、テーパ形状となっている。
【００１５】
ここで、入力側電極１２１は、例えば、金属のべた電極であり、ワイヤ(ボンディングワイヤ)１４１によりトランジスタ部１０１の各トランジスタＴｒのゲートＧが繋がれた入力側電極パッド１１１に接続されている。また、入力側電極１２１は、誘電体基板１２０上に設けられ、前段部４とトランジスタ部１０１の入力側電極パッド１１１のインピーダンスの整合を行う入力側整合回路１０２を形成する。
【００１６】
また、出力側電極１３１は、例えば、金属のべた電極であり、ワイヤ１５１によりトランジスタ部１０１の各トランジスタＴｒのドレインＤが繋がれた出力側電極パッド１１２に接続されている。また、出力側電極１３１は、誘電体基板１３０上に設けられ、後段部５とトランジスタ部１０１の出力側電極パッド１１２のインピーダンスの整合を行う出力側整合回路１０３を形成する。なお、参照符号１１３は、各トランジスタＴｒのソースＳに繋がれたソース電極パッド示す。
【００１７】
図１(a)に示されるように、テーパ形状の入力側電極１２１において、前段部１０４からトランジスタ部１０１への入力信号は、例えば、幅方向の両端部(外側部)１２１ａ，１２１ｂと中央部(内側部)１２１ｃでは入力側電極１２１を通る距離が異なる。そのため、入力信号に位相差が生じ、最大有能電力利得(ＭＡＧ：Maximum Available power Gain)が低減する。すなわち、図１(a)に示されるように、前段部１０４から入力側電極１２１の端部１２１ａへの信号は、相対的に長い経路Ａinを通り、前段部１０４から入力側電極１２１の中央部１２１ｃへの信号は、相対的に短い経路Ｃinを通る。これにより、例えば、ワイヤ１４１および入力側電極パッド１１１を経由して、入力側電極１２１の端部１２１ａの信号を増幅した出力信号と、入力側電極１２１の中央部１２１ｃの信号を増幅した出力信号の間に位相差が生じる。
【００１８】
これは、出力側電極１３１でも同様であり、テーパ形状の出力側電極１３１において、トランジスタ部１０１から後段部１０５への出力信号は、例えば、幅方向の両端部１３１ａ，１３１ｂと中央部１３１ｃでは出力側電極１３１を通る長さが異なる。そのため、出力信号に位相差が生じ、最大有能電力利得が低減する。すなわち、図１(a)に示されるように、出力側電極１３１の端部１３１ａから後段部１０５への信号は、相対的に長い経路Ａoutを通り、出力側電極１３１の中央部１３１ｃから後段部１０５への信号は、相対的に短い経路Ｃoutを通る。これにより、例えば、出力側電極パッド１１２およびワイヤ１５１を経由して後段部１０５に出力される信号は、出力側電極１３１の端部１３１ａで受け取った信号と、入力側電極１２１の中央部１２１ｃで受け取った信号の間に位相差が生じる。
【００１９】
その結果、図１(b)に示されるように、例えば、周波数(横軸(log))に対するＭＡＧは、特に、高い周波数領域において、理想特性ＣＬ１からＣＬ２へ低減する。すなわち、増幅器１００の特性劣化を招くことになる。
【００２０】
以下、増幅器および通信機モジュールの実施例を、添付図面を参照して詳述する。図３は、増幅器の第１実施例を説明するための図であり、図３(a)は、増幅器の一例の電極構造を模式的に示し、図３(b)は、図３(a)の電極構造を有する増幅器における特性を、前述した図１(a)の電極構造を有する増幅器と比較して示すものである。
【００２１】
図３(a)と、前述した図１(a)の比較から明らかなように、本第１実施例では、入力側電極２１(１２１)および出力側電極３１(１３１)の形状、並びに、ワイヤ４１，５１(１４１，１５１)の長さが異なっている。すなわち、図３(a)に示されるように、増幅器１００は、トランジスタ部(増幅部)１，入力側整合回路２および出力側整合回路３を含む。ここで、トランジスタ部１は、図２(a)〜図２(c)を参照して説明したトランジスタ部１０１と同様に、並列に接続された複数のトランジスタＴｒにより形成されている。
【００２２】
また、出力側電極３１は、例えば、金属のべた電極であり、ワイヤ５１によりトランジスタ部１の各トランジスタ(Ｔｒ)のドレイン(Ｄ)が繋がれた出力側電極パッド１２に接続されている。また、出力側電極３１は、誘電体基板３０上に設けられ、後段部５とトランジスタ部１の出力側電極パッド１２のインピーダンスの整合を行う出力側整合回路３を形成する。なお、参照符号１３は、各トランジスタＴｒのソースＳに繋がれたソース電極パッド示す。
【００２３】
第１実施例の増幅器１００において、出力側電極３１は、トランジスタ部１からの出力信号を、その出力側電極パッド１２から複数の出力側ワイヤ５１(５１ａ，５１ａ’，５１ｂ，５１ｂ’，５１ｃ)を介して出力信号受け取り部３１−１で受け取る。出力側電極３１の出力信号受け取り部３１−１で受け取った信号(出力信号)は、出力信号受け取り部３１−１の幅(第１幅)よりも狭い幅(第２幅)の出力信号引き渡し部３１−２から後段部５に引き渡される。
【００２４】
ここで、第１実施例の増幅器１００において、出力側電極３１において、出力信号受け取り部３１−１は、トランジスタ部１に対向する幅方向の両端部(外側部)３１ａ，３１ｂが中央部(内側部)３１ｃよりもトランジスタ部１から離れるようになっている。すなわち、前述した図１(a)の出力側電極１３１では、トランジスタ部１０１に対向する側が直線状(出力側電極パッド１１２と平行)になっているのに対して、第１実施例の出力側電極３１(出力信号受け取り部３１−１)は、曲線形状となっている。
【００２５】
なお、例えば、出力信号受け取り部３１−１の端部３１ａから後段部５(出力信号受け渡し部３１−２)への信号経路ＡＡoutは、必ずしも出力側電極３１の中央部３１ｃから後段部５への信号経路ＣＣoutと同じ長さにしなくてもよい。すなわち、トランジスタ部１に対向する出力側電極３１の出力信号受け取り部３１−１の形状は、様々な条件に基づいて、或いは、実際の測定等に基づいて適切な曲線形状とすることができる。
【００２６】
さらに、第１実施例の増幅器１００において、出力側電極３１(出力信号受け取り部３１−１)とトランジスタ部１(出力側電極パッド１２)を接続する出力側ワイヤ５１の長さは、両端部のワイヤ５１ａ，５１ｂが中央部のワイヤ５１ｃよりも長くなっている。すなわち、ワイヤ(ボンディングワイヤ)５１による位相回転(位相のずれ)は、出力側電極３１(回路基板上のベタ電極)による位相回転よりも遅い(位相のずれが小さい)ため、両端部ではワイヤの比率(長さ)を大きくすることで、中央部との位相差を小さくしている。
【００２７】
なお、図３(a)に示す例では、例えば、出力信号受け取り部３１−１の両端部３１ａ，３１ｂからの配線において、中央部３１ｃに近い側のワイヤ５１ａ’，５１ｂ’は、最端部のワイヤ５１ａ，５１ｂよりも短くなるようにされている。すなわち、出力信号受け取り部３１−１において、トランジスタ部１に対向する幅方向の両端部３１ａ，３１ｂから中央部３１ｃに近づくに従って、ワイヤの長さが短くなるようにされている。
【００２８】
次に、入力側電極２１について説明するが、基本的な構成は、上述した出力側電極３１と同様である。ここで、入力側電極２１は、例えば、金属のべた電極であり、ワイヤ４１によりトランジスタ部１の各トランジスタ(Ｔｒ)のゲート(Ｇ)が繋がれた入力側電極パッド１１に接続されている。また、入力側電極２１は、誘電体基板２０上に設けられ、前段部４とトランジスタ部１の入力側電極パッド１１のインピーダンスの整合を行う入力側整合回路２を形成する。
【００２９】
第１実施例の増幅器１００において、入力側電極２１は、前段部４からの入力信号を入力信号受け取り部２１−１で受け取り、入力信号受け取り部２１−１の幅(第３幅)よりも広い幅(第４幅)の入力信号引き渡し部２１−２からトランジスタ部１に出力する。ここで、入力側電極２１の形状も、前述した出力側電極３１と同様に、トランジスタ部１に対向する側が直線状ではなく、曲線形状となっている。
【００３０】
なお、例えば、前段部４(入力信号受け取り部２１−１)から入力信号受け渡し部２１−２の端部２１ａへの信号経路ＡＡinは、必ずしも前段部４から入力信号受け渡し部２１−２の中央部２１ｃへの信号経路ＣＣinと同じ長さにしなくてもよい。すなわち、トランジスタ部１に対向する入力側電極２１の入力信号受け渡し部２１−２の形状は、様々な条件に基づいて、或いは、実際の測定等に基づいて適切な曲線形状とすることができる。
【００３１】
さらに、第１実施例の増幅器１００において、入力側電極２１(入力信号受け渡し部２１−２)とトランジスタ部１(入力側電極パッド１１)を接続する入力側ワイヤ４１の長さは、両端部のワイヤ４１ａ，４１ｂが中央部のワイヤ４１ｃよりも長くなっている。すなわち、前述したように、ボンディングワイヤ４１による位相のずれは、入力側電極２１(回路基板上のベタ電極)による位相のずれよりも小さいため、両端部ではワイヤの長さを大きくすることで、中央部との位相差を小さくしている。
【００３２】
なお、図３(a)に示す例では、例えば、入力信号受け渡し部２１−２の両端部２１ａ，２１ｂからの配線において、中央部２１ｃに近い側のワイヤ４１ａ’，４１ｂ’は、最端部のワイヤ４１ａ，４１ｂよりも短くなるようにされている。すなわち、入力信号受け渡し部２１−２において、トランジスタ部１に対向する幅方向の両端部２１ａ，２１ｂから中央部２１ｃに近づくに従って、ワイヤの長さが短くなるようにされている。
【００３３】
そして、図３(b)に示されるように、第１実施例の増幅器によれば、例えば、周波数に対するＭＡＧに関して、図１(a)に示す増幅器により低下した特性ＣＬ２を、特に、高い周波数領域において、特性ＣＬ３(ほぼ、理想特性ＣＬ１)に戻すことができる。すなわち、第１実施例の増幅器によれば、増幅特性の劣化を低減することができる。このように、本実施例によれば、例えば、整合回路基板の誘電率、上述した弧状テーパ構造の曲率およびボンディングワイヤの長さを調整することにより、高利得で高出力の増幅器(高出力電力増幅器)を実現することができる。なお、本第１実施例は、入力側電極２１(入力信号受け渡し部２１−２)および出力側電極３１(出力信号受け取り部３１−１)の両方に適用せず、どちらか一方に適用してもよいのはいうまでもない。この増幅特性の劣化を低減することができる効果、並びに、入力側電極２１または出力側電極３１の一方に適用した場合の効果は、後述する第２実施例および第３実施例でも同様に奏される。
【００３４】
図４は、増幅器の第２実施例を説明するための図である。図４と、前述した図３(a)の比較から明らかなように、第２実施例の増幅器１００では、出力側電極３１の出力信号受け取り部３１−１の形状、および、入力側電極２１の入力信号受け渡し部２１−２の形状がそれぞれ曲線形状ではなく、段差形状とされている。
【００３５】
これは、例えば、ワイヤボンディング装置により、図３(a)に示すような曲線形状の電極に対してワイヤをボンデョングするのが難しい場合には、電極を段差形状とすることで、それぞれの段差の領域で直線的なワイヤボンデョング処理を行うことが可能になる。なお、図４では、出力側電極３１および入力側電極２１の段差を簡略化して描いているが、さらに複数の段差形状とすることもできるのはいうまでもない。
【００３６】
図５は、増幅器の第３実施例を説明するための図である。図５と、前述した図３(a)の比較から明らかなように、第３実施例の増幅器１００では、入力側整合回路２を２つの入力側整合部２αおよび２βで形成している。すなわち、トランジスタ部１の入力側電極パッド１１には、２つの入力側電極２１αおよび２１βからのワイヤ４１αａ，４１αｂ，４１αｃおよび４１βａ，４１βｂ，４１βｃが接続されている。
【００３７】
ここで、入力側電極２１αは、誘電体基板２０α上に設けられ、入力側電極２１βは、誘電体基板２０β上に設けられ、それぞれ入力側整合回路２αおよび２βを形成する。また、入力側電極２１αおよび２１βは、例えば、図３(a)を参照して説明した入力側電極２１にそれぞれ対応し、その詳細は省略する。
【００３８】
なお、入力側電極２１は、入力側電極２１αおよび２１βの２つに限定されるものではなく、さらに多数でもよく、また、階層的に設けることもできる。また、このような構成は、出力側電極３１に対しても適用することができるのはいうまでもない。
【００３９】
図６は、本実施形態に係る増幅器を適用した通信機モジュールの一例を示す斜視図である。図６に示されるように、通信機モジュール２００は、送受信切り替え器２０１、低雑音増幅器２０２、制御回路２０３、前段部(前段増幅器)４、増幅器１００、後段部(フィルタ)５、および、アンテナに接続される入出力端子２０４を含む。ここで、前述した各実施例の増幅器(高出力電力増幅器)１００は、前段増幅器(前段部)４により所定レベルに増幅された信号を電力増幅し、フィルタ(後段部)５，送受信切り替え器２０１および入出力端子２０４を経由して、アンテナから高周波信号を出力する。
【００４０】
また、通信機モジュール２００は、アンテナから入力された高周波信号を、入出力端子２０４および送受信切り替え器２０１を経由して、低雑音増幅器２０２で増幅し、制御回路２０３により復調等を行って、受信信号を出力する。なお、本実施形態の増幅器１００は、送受信用の通信機モジュールではなく、送信専用の通信機モジュールにも適用することができるのはもちろんである。なお、通信機モジュール２００は、通信システム、レーダ装置、センサ、電波妨害器等の様々なシステム機器の一部として使用することができる。
【００４１】
以上、実施形態を説明したが、ここに記載したすべての例や条件は、発明および技術に適用する発明の概念の理解を助ける目的で記載されたものであり、特に記載された例や条件は発明の範囲を制限することを意図するものではない。また、明細書のそのような記載は、発明の利点および欠点を示すものでもない。発明の実施形態を詳細に記載したが、各種の変更、置き換え、変形が発明の精神および範囲を逸脱することなく行えることが理解されるべきである。
【符号の説明】
【００４２】
１，１０１    トランジスタ部(増幅部)
２，１０２    入力側整合回路
３，１０３    出力側整合回路
２０，３０，１２０，１３０    誘電体基板
２１，１２１    入力側電極
３１，１３１    出力側電極
１００    増幅器(高出力電力増幅器)
２００    通信機モジュール
【図１】
2018117214.tif 000003
【図２】
2018117214.tif 000004
【図３】
2018117214.tif 000005
【図４】
2018117214.tif 000006
【図５】
2018117214.tif 000007
【図６】
2018117214.tif 000008